(57)【要約】【課題】上階の外装材付き壁パネルの外装材と、下階の外装材付き壁パネルの外装材との間に形成された幅狭部の防水処理作業を容易に行うことができる幅狭部の防水方法。【解決手段】予め表面に外装材１ｂ、２ｂが取り付けられた上階および下階の外装材付き壁パネル１、２の間に幅狭部Ａを形成し、次に、前記下階の外装材付き壁パネル２の上端部から前記上階の外装材１ｂの下端部近傍まで延出する防水透湿シート４ｂと、前記上階の外装材付き壁パネル１の下端部から前記下階の外装材２ｂの上端部近傍まで延出する防水透湿シート４ａとを、前記幅狭部Ａにおいて重ね合わせるとともに、前記下階から延出する防水透湿シート４ｂの上端部外面に予め貼り付けられた両面テープ５ｂで貼り合わせることを前記課題の解決手段とした。【選択図】図１
2006009356.tif 000002
【特許請求の範囲】
【請求項１】
予め表面に外装材が取り付けられた上階および下階の外装材付き壁パネルを、上階の床部を介して連結することによって、これら上階および下階の外装材付き壁パネルの、上階の外装材の下端部と、下階の外装材の上端部との間に幅狭部を形成し、
次に、前記下階の外装材付き壁パネルの上端部から前記上階の外装材の下端部近傍まで延出する防水透湿シートと、
前記上階の外装材付き壁パネルの下端部から前記下階の外装材の上端部近傍まで延出する防水透湿シートとを、
前記幅狭部において重ね合わせるとともに、前記下階から延出する防水透湿シートの上端部外面に予め貼り付けられた両面テープで貼り合わせることを特徴とする幅狭部の防水方法。
【請求項２】
請求項１に記載の幅狭部の防水方法において、
前記上階の外装材付き壁パネルを構成する上階の壁パネルの下端部外面に、前記上階の外装材よりも若干下方に位置するようにして下耳部材が設けられており、この下耳部材の表面に、前記下階の防水透湿シートが貼り付けられていることを特徴とする幅狭部の防水方法。
【請求項３】
、
請求項１または２に記載の幅狭部の防水方法において、
両面テープをその他方の粘着面に離型紙を付けた状態で、予め下耳部材の下端部外面に貼り付けておくことを特徴とする幅狭部の防水方法。
【請求項４】
請求項１〜３のいずれか一項に記載の幅狭部の防水方法において
前記上階の外装材は、その下端部を前記上階の壁パネルの下端部から前記上階の床部の下端部近傍まで突出するようにして取り付けられていることを特徴とする幅狭部の防水方法。
【請求項５】
請求項１〜４のいずれか一項に記載の幅狭部の防水方法において、
両面テープをその他方の粘着面に離型紙を付けた状態で、予め下階から延出する防水透湿シートの上端部外面に貼り付けておくことを特徴とする幅狭部の防水方法。
【発明の詳細な説明】
【技術分野】
【０００１】
本発明は、上階の外装材付き壁パネルの外装材と、下階の外装材付き壁パネルの外装材との間に形成された幅狭部の防水方法に関する。
【背景技術】
【０００２】
近年、住宅の構築についてはその工業化が進み、例えば壁や床、屋根といった構成要素を予め工場にてパネル化しておき、施工現場でこれらのパネルを組み立てることにより住宅を構築するパネル工法が一部に採用されている。
【０００３】
このようなパネル工法では、建物の構造壁となる壁パネルと、この壁パネルの外面側を覆うように設けられる防水透湿シートと、この防水透湿シート上から胴縁を介して壁パネルに取り付けられる外装材とから外装材付き壁パネルを構成し、この外装材付き壁パネルを現場へ搬送することで、現場での施工効率を大幅に向上している（例えば、特許文献１参照。）。
【特許文献１】特開２００１−１５２５６６号公報、第７頁、第３図
【発明の開示】
【発明が解決しようとする課題】
【０００４】
ところで、前記特許文献１に示すように、建物の上階に設けられる外装材付き壁パネルには、該壁パネルの下端から下方に突出するように外装材が設けられており、下階に設けられる外装材付き壁パネルにおいては、外装材が、その上端が該壁パネルの上端よりも下方に位置するように設けられていた。
また、これら上階および下階の外装材付き壁パネルの間には胴差や床パネルが設けられていることから、上階の外装材の下端部と、下階の外装材の上端部との間に隙間が生じ、さらに、この隙間を塞ぐために幕板が設けられていた。
【０００５】
しかし、幕板は外装材と同質材や塩化ビニル鋼板等で形成されており、このように大きな隙間を覆うものであることから、製作や搬送、取り付け作業等の面で難点を伴った。
【０００６】
そこで、幕板を設けなくともその外観を秀麗に仕上げることができるように、上階の外装材の下端部を、上階の壁パネルの下端部から上階の床部の下端部近傍まで突出させるとともに、下階の外装材の上端部を、下階の壁パネルの上端部とほぼ同じ高さ位置まで覆うように取り付ける技術が試みられている。
【０００７】
この場合、上階の外装材付き壁パネルの外装材と、下階の外装材付き壁パネルの外装材との間に幅の狭い隙間（幅狭部）が形成される。ところが、この幅狭部は幅が狭いために十分な作業スペースを確保できず、防水透湿シート等による防水処理作業が難しいという問題があった。
【０００８】
本発明の課題は、上階の外装材付き壁パネルの外装材と、下階の外装材付き壁パネルの外装材との間に形成された幅狭部の防水処理作業を容易に行うことができる幅狭部の防水方法を提供することを目的とする。
【課題を解決するための手段】
【０００９】
請求項１に記載の発明は、例えば図１または図２に示すように、予め表面に外装材１ｂ、２ｂが取り付けられた上階および下階の外装材付き壁パネル１、２を、上階の床部３を介して連結することによって、これら上階および下階の外装材付き壁パネル１、２の、上階の外装材１ｂの下端部と、下階の外装材２ｂの上端部との間に幅狭部Ａを形成し、
次に、前記下階の外装材付き壁パネル２の上端部から前記上階の外装材１ｂの下端部近傍まで延出する防水透湿シート４ｂと、
前記上階の外装材付き壁パネル１の下端部から前記下階の外装材２ｂの上端部近傍まで延出する防水透湿シート４ａとを、
前記幅狭部Ａにおいて重ね合わせるとともに、前記下階から延出する防水透湿シート４ｂの上端部外面に予め貼り付けられた両面テープ５ｂで貼り合わせることを前記課題の解決手段とした。
【００１０】
請求項１に記載の発明によれば、幅狭部Ａにおいて、前記防水透湿シート４ａ、４ｂを重ね合わせるとともに、前記下階から延出する防水透湿シート４ｂの上端部外面に予め貼り付けられた両面テープ５ｂで貼り合わせることによって、下階の防水透湿シート４ｂと上階の防水透湿シート４ａ間で防水を確実、かつ容易に取ることができる。つまり、幅狭部Ａの防水処理作業を確実、かつ容易に行うことができる。
【００１１】
請求項２に記載の発明は、例えば図１または図２に示すように、請求項１に記載の幅狭部の防水方法において、
前記上階の外装材付き壁パネル１を構成する上階の壁パネル１ａの下端部外面に、前記上階の外装材１ｂよりも若干下方に位置するようにして下耳部材１ｃが設けられており、この下耳部材１ｃの表面に、前記下階の防水透湿シート４ｂが貼り付けられていることを前記課題の解決手段とした。
【００１２】
請求項２に記載の発明によれば、前記上階の外装材付き壁パネル１を構成する上階の壁パネル１ａの下端部外面に、前記上階の外装材１ｂよりも若干下方に位置するようにして下耳部材１ｃが設けられており、この下耳部材１ｃに防水透湿シート４ｂが貼り付けられているので、この下耳部材１ｃを貼り付け台として使用することで、前記防水透湿シート４ａと、前記防水透湿シート４ｂとの貼り合わせ作業を容易に行うことができる。
【００１３】
請求項３に記載の発明は、例えば図４に示すように、請求項１または２に記載の幅狭部の防水方法において、
両面テープ５ａをその他方の粘着面に離型紙５ｃを付けた状態で、予め下耳部材１ｃの下端部外面に貼り付けておくことを前記課題の解決手段とした。
【００１４】
請求項３に記載の発明によれば、両面テープ５ａをその他方の粘着面に離型紙５ｃを付けた状態で、予め下耳部材１ｃの下端部外面に貼り付けておくので、現場では、この離型紙５ｃを剥がすだけで、前記他方の粘着面に対して下階から延出する防水透湿シート４ｂを貼り付けることができ、防水処理作業を容易に行うことができる。
【００１５】
請求項４に記載の発明は、例えば図１または図２に示すように、請求項１〜３のいずれか一項に記載の幅狭部の防水方法において、
前記上階の外装材１ｂは、その下端部が前記上階の壁パネル１ａの下端部から前記上階の床部３の下端部近傍まで突出するようにして取り付けられていることを前記課題の解決手段とした。
【００１６】
請求項４に記載の発明によれば、前記上階の外装材１ｂは、その下端部が前記上階の壁パネル１ａの下端部から前記上階の床部３の下端部近傍まで突出するようにして取り付けられているので、前記上階の壁パネル１ａの表面を外装材１ｂで覆うだけでなく、前記上階の床部３の表面も外装材１ｂで覆うことができるとともに、現場で外装材１ｂを取り付ける手間を省くことができるので、作業性の向上や工期の短縮を図ることができる。
また、従来と異なり、上部躯体と下部躯体との間に設けていた幕板を使用する必要がないので、この幕板の取り付け作業に係る施工コストや輸送コストの低廉化を図ることができる。
【００１７】
請求項５に記載の発明は、例えば図４に示すように、請求項１〜４のいずれか一項に記載の幅狭部の防水方法において、
両面テープ５ｂをその他方の粘着面に離型紙５ｃを付けた状態で、予め下階から延出する防水透湿シート４ｂの上端部外面に貼り付けておくことを前記課題の解決手段とした。
【００１８】
請求項５に記載の発明によれば、両面テープ５ｂをその他方の粘着面に離型紙５ｃを付けた状態で、予め下階から延出する防水透湿シート４ｂの上端部外面に貼り付けておくので、現場では、この離型紙５ｃを剥がすだけで、前記他方の粘着面に上階から延出する防水透湿シート４ａを貼り付けることができ、防水処理作業を容易に行うことができる。
【発明の効果】
【００１９】
本発明によれば、幅狭部Ａにおいて、前記防水透湿シート４ａ、４ｂを重ね合わせるとともに、前記下階から延出する防水透湿シート４ｂの上端部外面に予め貼り付けられた両面テープ５ｂで貼り合わせることによって、下階の防水透湿シート４ｂと上階の防水透湿シート４ａ間で防水を確実、かつ容易に取ることができる。つまり、幅狭部Ａの防水処理作業を確実、かつ容易に行うことができる。
その上、前記防水透湿シート４ａ、４ｂを貼り合わせる際には、前記上階の外装材付き壁パネル１を構成する上階の壁パネル１ａの下端部外面に設けられた下耳部材１ｃを貼り付け台として使用することで、これら防水透湿シート４ａ、４ｂの貼り合わせ作業を容易に行うことができる。
しかも、前記下耳部材１ｃの下端部外面と、前記下階から延出する防水透湿シート４ｂの上端部外面とに、それぞれ両面テープ５ａ、５ｂをその他方の粘着面に離型紙５ｃを付けた状態で貼り付けておくので、現場では、この離型紙５ｃを剥がすだけで、前記下耳部材１ｃ上に、前記防水透湿シート４ａ、４ｂを貼り合わせることができ、防水処理作業をさらに容易に行うことができる。
【発明を実施するための最良の形態】
【００２０】
以下、図面を参照して本発明に係る幅狭部の防水方法の実施の形態について説明する。
【００２１】
本実施の形態の幅狭部Ａは、図１に示すように、上階の外装材付き壁パネル１と、下階の外装材付き壁パネル２とが上階の床部３を介して連結される外壁構造において上階の外装材付き壁パネル１の外装材１ｂと、下階の外装材付き壁パネル２の外装材２ｂとの間に形成されている。そして、この幅狭部Ａでは、上階の壁パネル１ａの下端部から前記上階の床部３の下端部近傍まで突出するようにして設けられた下耳部材１ｃの下端部外面に、前記上階の外装材１ｂの下側から延出する防水透湿シート４ａと、下階の外装材２ｂの下側から延出する防水透湿シート４ｂとが重ね合わされ、両面テープ５ａ、５ｂによって貼り付けされて納められている。
また、本実施の形態の幅狭部Ａには、この幅狭部Ａに合う形状の水切り部材１１が取り付けられている。
【００２２】
前記上階の外装材付き壁パネル１は、構造壁となる壁パネル１ａの表面に外装材１ｂが防水透湿シート４ａと胴縁（図示せず）を介して取り付けられている。壁パネル１ａの下端部外面には、該壁パネル１ａの下端から下方に突出するようにして前記下耳部材１ｃが設けられている。前記下耳部材１ｃは壁パネル１ａの下端部と外装材１ｂの下端部との間に介在されており、前記外装材１ｂは、前記下耳部材１ｃの下端より下方に突出するように設けられている。また、前記外装材１ｂと下耳部材１ｃとの間には水抜きパッキン材６が設けられている。
【００２３】
ここで、壁パネルとは、縦横の框材が矩形状に組み立てられるとともに、矩形枠の内部に補助棧材が縦横に組み付けられて枠体が構成され、この枠体の両面もしくは片面に、面材が貼設されたものであり、内部中空な構造となっている。また、その内部中空な部分には、通常、グラスウールやロックウール等の断熱材が装填される。
【００２４】
前記上階の外装材付き壁パネル１の外装材１ｂは、上階の壁パネル１ａの表面に予め取り付けられているとともに、この壁パネル１ａと外装材１ｂとの間には、下耳部材１ｃが取り付けられている。そして、前記外装材１ｂおよび下耳部材１ｃの下端部は壁パネル１ａの下端部から前記上階の床部３の下端部近傍まで突出するようにして設けられている。これによって、壁パネル１ａの表面を外装材１ｂで覆うだけでなく、上階の床部３の表面も外装材１ｂで覆うことができるとともに、現場で外装材１ｂを取り付ける手間を省くことができる。
【００２５】
前記下耳部材１ｃは、前記壁パネル１ａの下端部から前記上階の床部３の下端部近傍まで突出するようにして設けられているが、前記上階の床部３の表面との間には僅かな隙間が形成されている。この隙間を埋めて外装材１ｂの破損を防ぐようにするために、調整材７ａが予め取り付けられている。また、この調整材７ａと対応して合わさる調整材７ｂが上階の床部３の表面にも予め取り付けられている。
また、この下耳部材１ｃの下端部近傍の表面には、予め第１の両面テープ５ａが貼り付けられ、後工程にて離型紙５ｃが剥がされて、この第１の両面テープ５ａに下階から延出する防水透湿シート４ｂが貼り付けられる構成となっている。
【００２６】
前記下階の外装材付き壁パネル２は、前記上階の外装材付き壁パネル１と同様に、下階の壁パネル２ａの表面を覆うようにして外装材２ｂが取り付けられてなるもので、この外装材２ｂは胴縁２ｃを介して取り付けられている。また、この外装材２ｂの上端部は、壁パネル２ａの上端面とほぼ同じ位置まで取り付けられている。
前記下階の外装材付き壁パネル２の外装材２ｂは、下階の壁パネル２ａの表面に胴縁２ｃを介して予め取り付けられており、これら下階の壁パネル２ａと胴縁２ｃとの間には防水透湿シート４ｂが貼られている。
【００２７】
前記上階の床部３は、上階床パネル３ａと、この上階床パネル３ａと同厚の胴差３ｂとから構成されており、前記上階床パネル３ａの端面に、前記胴差３ｂの端面を当接させて、前記下階の外装材付き壁パネル２の上端部に配置されている。これら上階床パネル３ａおよび胴差３ｂの上部には、前記上階の外装材付き壁パネル１が立設されている。
【００２８】
前記防水透湿シート４ａ、４ｂは、上階および下階の壁パネル１ａ、２ａの表面を覆うようにして設けられているとともに、上階および下階から所定の長さ分延出され、さらに、この延出された長さ分の防水透湿シート４ａ、４ｂが上階の外装材１ｂと下階の外装材２ｂとの間に形成される幅狭部Ａにおいて重ね合わせられている。
そのうち、上階から延出する防水透湿シート４ａは、上階の壁パネル１ａの下端から下方に延出されて、前記下耳部材１ｃの表面を覆うとともに、前記外装材１ｂの下端よりさらに延出されて、下階の外装材２ｂの上端部まで設けられている。なお、この外装材１ｂの下端より延出された防水透湿シート４ａは、図２に示すように、外側に折り曲げられて、外壁の組み立て作業の妨げとならないようにしておく。
【００２９】
また、下階から延出する防水透湿シート４ｂは、下階の壁パネル２ａの上端から上方に延出されて、この下階の壁パネル２ａの表面を覆うとともに、前記下階の外装材２ｂよりさらに延出されて、この下階の外装材２ｂの上端部を経由し、かつ、上階の外装材１ｂの下端部まで達するようにして設けられている。そして、この外装材２ｂの上端より延出された防水透湿シート４ｂも、図２に示すように、前記上階から延出する防水透湿シート４ａと同様に、外側に折り曲げられて外壁の組み立て作業の妨げにならないように処理されている。
また、この下階から延出する防水透湿シート４ｂの上端部外面には、予め第２の両面テープ５ｂが貼り付けられ、後工程にて離型紙５ｃが剥がされて、この第２の両面テープ５ｂに上階から延出する防水透湿シート４ａが貼り付けられる構成となっている。
【００３０】
ここで、防水透湿シートとしては、例えば、商品名「タイベック（デュポン社製）」等を採用できる。この場合には、室内からの湿気は、断熱材に留まらずに防水透湿シートを介して室外側へ放散されるため、壁体構造の内部には結露が生じない。また、室外が屋外となる場合には、防水透湿シートにより、屋外からの雨水等の浸入を防止でき、壁体構造を保護できる。
【００３１】
前記水抜きパッキン材６は、図１に示すように、前記外装材１ｂの下端部と壁パネル１ａの下端部との間に下耳部材１ｃが介在することによって、外装材１ｂの裏面側の水を容易に抜いて、下耳部材１ｃ上に水が溜まるのを防ぐために設けられるものであり、弾性を有する合成樹脂が帯板状に形成されてなるものである。
【００３２】
前記水抜き部材１１は、図１に示すように、雨水等の侵入を防ぐ水切り本体１１ａと、この水切り本体１１ａを支持するとともに、幅狭部Ａにおける前記防水透湿シート４ａ、４ｂを押さえ付ける下地材１１ｂとを主体として構成されている。
また、この水切り部材１１は、水切り本体１１ａに設けられた被把持部１１ｃと、下地材１１ｂに設けられた把持部１１ｄとが連結されてなり、下地用パッキン１１ｅを介して前記下地材１１ｂが、前記下耳部材１ｃの直下の位置に、かつ、前記調整材７ｂの表面に対してネジ１１ｆによって固定されている。
【００３３】
以上のような構成の外壁構造において上階の外装材１ｂと下階の外装材２ｂとの間に形成される幅狭部Ａを、上階から延出する防水透湿シート４ａと、下階から延出する防水透湿シート４ｂとを重ね合わせて防水するには、図２に示すように、まず、所定の位置に立設させた下階の外装材付き壁パネル２の上端面に、胴差３ｂの側面と床パネル３ａの側面とを当接させて上階の床部３を設置する。また、前記胴差３ｂの表面には予め調整材７ｂを取り付けておき、この調整材７ｂを下階の壁パネル２ａの表面よりも若干内側に位置するようにして上階の床部３の設置を行う。
【００３４】
そして、下階の外装材付き壁パネル２上に設置された上階床部３上に、上階の外装材付き壁パネル１を立設させる。この時、前記下耳部材１ｃに取り付けられた調整材７ａと、前記胴差３ｂの表面に取り付けられた調整材７ｂとの位置を合わせるようにしながら、下階の外装材付き壁パネル２の直上に位置するように上階の外装材付き壁パネル１を立設させる。
【００３５】
この時、上階および下階の外装材付き壁パネル１、２には、予め外装材１ｂ、２ｂが取り付けられているので、これら上階および下階の外装材付き壁パネル１、２を組み付けるだけで、上階の外装材１ｂと下階の外装材２ｂとの間に幅狭部Ａを形成することができる。
【００３６】
また、このように外壁を構築する際には、上階から延出する防水透湿シート４ａおよび下階から延出する防水透湿シート４ｂは、外側に折り曲げて外壁の組み立て作業の妨げにならないように処理しておく。
【００３７】
なお、図３に示すように、前記胴差３ｂを介して、前記上階の外装材付き壁パネル１の框材１ｄから、前記下階の外装材付き壁パネル２の框材２ｄまで貫通するボルト貫通孔８を設けて、このボルト貫通孔８に胴差ボルト９を挿通させてナット１０等で螺合することによって、胴差３ｂを介して上階の外装材付き壁パネル１と下階の外装材付き壁パネル２とが連結されて、外壁の構造強度を向上させることができる。
【００３８】
次に、前記幅狭部Ａを防水するには、図４に示すように、まず、前記下耳部材１ｃに予め貼り付けられた第１の両面テープ５ａの離型紙５ｃを剥がし、この第１の両面テープ５ａに対して、前記下階から延出する防水透湿シート４ｂを貼り付ける。
そして、この下階から延出する防水透湿シート４ｂに予め貼り付けられた第２の両面テープ５ｂの離型紙５ｃを剥がし、この第２の両面テープ５ｂに対して、前記上階から延出する防水透湿シート４ａを貼り付ける。
【００３９】
そして、前記水切り部材１１を幅狭部Ａに取り付けるには、まず、前記下地用パッキン１１ｅを介して前記下地材１１ｂをネジ１１ｆで固定するが、この際、前記上階および下階から延出する防水透湿シート４ａ、４ｂの上から押し付けるようにして固定作業を行い、前記下耳部材１ｃの直下の位置に、かつ、前記調整材７ｂの表面に対して固定する。
次に、この下地材１１ｂに設けられた把持部１１ｄに対して、前記水切り本体１１ａの被把持部１１ｃを接続固定させる。このように、前記両面テープ５ａ、５ｂで貼り合わされた防水透湿シート４ａ、４ｂの上から、さらに水切り部材１１を取り付けることによって、防水性を向上させることができる。
なお、図１に示すように、前記水切り本体１１ａと、上下階の外装材１ｂ、２ｂとの間に、それぞれシーリング材１２や水密材１３を備えさせることで、さらに防水性を向上させることができるとともに、景観性にも優れて好ましい。
【００４０】
以上のような幅狭部Ａの防水方法によって、前記防水透湿シート４ａ、４ｂを重ね合わせるとともに、前記下階から延出する防水透湿シート４ｂの上端部外面に予め貼り付けられた両面テープ５ｂで貼り合わせることによって、下階の防水透湿シート４ｂと上階の防水透湿シート４ａ間で防水を確実、かつ容易に取ることができる。つまり、幅狭部Ａの防水処理作業を確実、かつ容易に行うことができる。
【図面の簡単な説明】
【００４１】
【図１】幅狭部を形成する外壁構造の一例を示す断面図である。
【図２】図１の外壁の構築過程を示す断面図である。
【図３】図１の外壁に胴差ボルトを設けた際の一例を示す断面図である。
【図４】幅狭部を拡大して示す断面図である。
【符号の説明】
【００４２】
Ａ  幅狭部
１  上階の外装材付き壁パネル
１ａ  上階の壁パネル
１ｂ  上階の外装材
１ｃ  下耳部材
２  下階の外装材付き壁パネル
２ａ  下階の壁パネル
２ｂ  下階の外装材
３  上階の床部
４ａ  上階から延出する防水透湿シート
４ｂ  下階から延出する防水透湿シート
５ａ  両面テープ
５ｂ  両面テープ
【図１】
2006009356.tif 000003
【図２】
2006009356.tif 000004
【図３】
2006009356.tif 000005
【図４】
2006009356.tif 000006